(57)【要約】【課題】着脱可能なケーブルクランプにおいて、ケーブルの着脱において、容易には着脱ができないという問題点があった。また、ケーブルクランプが突出しているため、破損しやすいという問題点があった。また、複数の装着機構を設けた電子機器においては、装着機構が周囲に傷をつけるなどの問題点があるが、上記従来例では、周囲への保護構造は考慮されていなかった。【解決手段】ケーブル保持部において、ケーブル保持部は、ケーブル径よりも小さい挟持部を少なくとも１つ備え、電子機器に着脱された時にはケーブル保持部の撓みやすい第一の弾性部は撓みにくい第二の弾性部と電子機器の壁部との間に配置され、第一の弾性部は弾性変形時には電子機器の壁部に当接し、ケーブル着脱方向とケーブルクランプ着脱方向が略９０°を成すことを特徴とする。【選択図】図１２
2017117856.tif 000002
【特許請求の範囲】
【請求項１】
電子機器に着脱可能なケーブルクランプであり、
前記ケーブルクランプには第一の弾性部と第二の弾性部からなるケーブル保持部と、
前記電子機器に装着するための装着部を持ち、
ケーブルはケーブル保持部において第一の弾性部と第二の弾性部から成る挟持部により保持され、
前記ケーブル保持部は、ケーブル径よりも小さい挟持部を少なくとも１つ備え、
第一の弾性部は第二の弾性部よりも撓みやすい弾性部であり、
ケーブルクランプを電子機器に装着した状態において、
前記第一の弾性部は、第二の弾性部と電子機器が成す壁部との間に配置され、
前記第一の弾性部は、弾性変形時に前記電子機器が成す壁部に当接し、
ケーブル保持部におけるケーブル着脱方向と、
前記装着部におけるケーブルクランプの電子機器との着脱方向が９０°を成すことを特徴とするケーブルクランプ。
【請求項２】
電子機器に着脱可能なケーブルクランプであり、
前記ケーブルクランプは傘形状を備え、
前記ケーブルクランプは前記電子機器に装着するための第一の装着部と、第二の装着部を持ち、
前記電子機器にはケーブルクランプを装着するための複数の保持構造を持ち、
第一の装着部を用いて電子機器に装着した時は、前記傘形状でケーブルを押さえ、
第二の装着部を用いて電子機器に装着した時は、前記傘形状で電子機器の装着に使用していない保持構造部を覆うことを特徴とするケーブルクランプ。
【発明の詳細な説明】
【技術分野】
【０００１】
本発明は、電子機器に装着する着脱式のケーブルクランプ構造に関する。
【背景技術】
【０００２】
従来、様々な目的として電子機器と電子機器を組み合わせ、電気的に接続して機能拡張することは一般的である。また、組み合わせる際の汎用性を高めるため、複数の装着機構を設けることもある。
【０００３】
また、電子機器と電子機器を接続してケーブルを用いる場合、使用時には邪魔になるため、ケーブルを保持する構造部品として、ケーブルクランプが広く知られている。電子機器と電子機器を様々な組み合わせで装着するため、その組み合わせに合わせて着脱が可能なケーブルクランプが必要となってくる。
【０００４】
従来のケーブルクランプには、ケーブルクランプ自身を容易に取り付ける構成を施したものがある（特許文献１参照）。
【先行技術文献】
【特許文献】
【０００５】
【特許文献１】特開２００４−５２８５５号公報
【発明の概要】
【発明が解決しようとする課題】
【０００６】
しかしながら、上記の特許文献１では、ケーブルの着脱時にカバーのロックが存在するため、容易には着脱ができないという問題点があった。また、ケーブルクランプが突出しているため、破損しやすいという問題点があった。また、複数の装着機構を設けた電子機器においては、主な装着機構は金属であるため、周囲に傷をつけるなどの問題点があるが、上記従来例では、周囲への保護構造は考慮されていなかった。
【０００７】
本出願に係る第一の発明の目的は、着脱式のケーブルクランプにおいて、ケーブルクランプの着脱がしやすく、ケーブルの着脱も容易であり、破損防止が可能なケーブルクランプを提供することである。
【０００８】
また、本出願に係る第二の発明の目的は、複数の装着機構を設けた電子機器の装着機構から、周囲を保護することが可能なケーブルクランプを提供することである。
【課題を解決するための手段】
【０００９】
上記の目的を達成するために、本出願に係る第一の発明は、
電子機器に着脱可能なケーブルクランプであり、
前記ケーブルクランプには第一の弾性部と第二の弾性部からなるケーブル保持部と、
前記電子機器に装着するための装着部を持ち、
ケーブルはケーブル保持部において第一の弾性部と第二の弾性部から成る挟持部により保持され、
前記ケーブル保持部は、ケーブル径よりも小さい挟持部を少なくとも１つ備え、
第一の弾性部は第二の弾性部よりも撓みやすい弾性部であり、
ケーブルクランプを電子機器に装着した状態において、
前記第一の弾性部は、第二の弾性部と電子機器が成す壁部との間に配置され、
前記第一の弾性部は、弾性変形時に前記電子機器が成す壁部に当接し、
ケーブル保持部におけるケーブル着脱方向と、
前記装着部におけるケーブルクランプの電子機器との着脱方向が略９０°を成すことを特徴とする。
本出願に係る第二の発明は、
電子機器に着脱可能なケーブルクランプであり、
前記ケーブルクランプは傘形状を備え、
前記ケーブルクランプは前記電子機器に装着するための第一の装着部と、第二の装着部を持ち、
前記電子機器にはケーブルクランプを装着するための複数の保持構造を持ち、
第一の装着部を用いて電子機器に装着した時は、前記傘形状でケーブルを押さえ、
第二の装着部を用いて電子機器に装着した時は、前記傘形状で電子機器の装着に使用していない保持構造部を覆うことを特徴とする。
【発明の効果】
【００１０】
本発明に係るケーブルクランプによれば、ケーブルクランプの着脱とケーブルの着脱が容易であり、ケーブルクランプの破損防止も可能となる。更には、装着機構による周囲への傷に対する保護も可能となる。
【図面の簡単な説明】
【００１１】
【図１】マイクアダプタ装置１の外観斜視図
【図２】マイクアダプタ装置１の脚部７周辺の拡大図
【図３】撮像装置５０を背面側から見た斜視図
【図４】図３におけるアクセサリーシュー５３周辺の拡大図
【図５】撮像装置５０にマイクアダプタ装置１を装着する直前の状態を示す外観斜視図
【図６】背面側から見た嵌合状態を示す図
【図７】マイクアダプタ装置１をアクセサリーシュー５３に嵌合させた状態を示す図
【図８】ハンドルユニット１００に対し、マイクアダプタ装置１を装着した状態を示す外観斜視図
【図９】図８における、別のアクセサリーシュー１０２に装着した状態を示す外観斜視図
【図１０】撮像装置５０にマイクアダプタ装置１を装着した、使用状態を示す外観斜視図
【図１１】撮像装置５０にマイクアダプタ装置１を装着した、使用状態を示す外観斜視図
【図１２】ケーブルクランプ３０の外観斜視図
【図１３】図１２におけるＢ方向から見た、ケーブルクランプ３０の側面図
【図１４】ケーブルクランプ３０をマイクアダプタ装置１の脚部６へ装着する直前の状態を示す外観斜視図
【図１５】ケーブルクランプ３０をマイクアダプタ装置１の脚部６へ装着した状態を示す外観斜視図
【図１６】マイクアダプタ装置１にケーブルクランプ３０を装着した状態を示す側面図
【図１７】ケーブルクランプ３０周辺の拡大図
【図１８】ケーブルクランプ７０の外観斜視図
【図１９】ケーブルクランプ７０を第一の装着部７６を使用して、マイクアダプタ装置１の脚部６へ装着した状態を示す外観斜視図
【図２０】ケーブルクランプ７０周辺を拡大した側面図
【図２１】マイクアダプタ装置１を収納、保管する際の状態を示した外観斜視図
【発明を実施するための形態】
【００１２】
以下、図面を参照しながら、本発明を実施するための形態についての説明を行う。
【００１３】
＜第１の実施形態＞
図１はマイクアダプタ装置１の外観斜視図である。
【００１４】
このマイクアダプタ装置１は、後述する不図示の撮像装置に着脱可能に取りつき、外部マイクを使用した録音を可能とするための装置である。マイクアダプタ装置１には外部マイクを保持するマイク保持部２、外部マイクからの信号を入力する入力端子３、入力端子４、本体へ出力する出力端子５が備えられている。マイク保持部２には、ケーブルを保持するマイクケーブルクランプ１０が備えられている。このマイクアダプタ装置１は、脚部６、脚部７、ロック部材８、ロック部材９により、撮像装置側に備えられたアクセサリーシューに着脱が可能となっている。
【００１５】
図２はマイクアダプタ装置１の脚部７周辺の拡大図である。
【００１６】
脚部７は、脚部７よりも外形の小さいベース部１４を介してマイクアダプタ装置１に取り付けられている。また、ロック部材９は、詳述はしないが、内部にタップ形状が設けられており、回転させることにより、図中上下に移動することが可能となっている。
【００１７】
図３は撮像装置５０を背面側から見た外観斜視図である。
【００１８】
撮像装置５０は、レンズ部５１から不図示のセンサ部に取り込まれた画像を、表示部５２で確認することが可能となっており、取り込まれた画像は、不図示の各種メディアに記録が可能となっている。また音声に関しては、内蔵マイク部５４から取り込むことが可能となっている。この撮像装置５０には、前述のマイクアダプタ装置１を装着するためのアクセサリーシュー５３が備えられている。
【００１９】
図４は図３におけるアクセサリーシュー５３周辺の拡大図である。
【００２０】
このアクセサリーシュー５３には、前述のマイクアダプタ装置１における脚部が挿入されるが、挿入口５３ａの挿入方向Ｚに対し、底面部５３ｂ、２つの側壁部５３ｃ、２つの天面部５３ｄにより、Ｚ方向以外の方向を規制するガイド形状が設けられている。また、２つの天面部５３ｄの間には、前述のマイクアダプタ装置１のベース部１４を逃げるための開口５３ｅが設けられている。
【００２１】
続いてマイクアダプタ装置１と撮像装置５０の着脱について説明する。
【００２２】
図５は撮像装置５０にマイクアダプタ装置１を装着する直前の状態を示している。この状態で、マイクアダプタ装置１を図中Ｚ方向へ移動させ、脚部７とアクセサリーシュー５３を嵌合させる。
【００２３】
図６は背面側から見た嵌合状態を示す図であり、説明のため撮像装置５０のアクセサリーシュー５３のみを図示している。図中Ａ部の拡大図を図７（ａ）、（ｂ）で示している。図７（ａ）はマイクアダプタ装置１をアクセサリーシュー５３に嵌合させ、ロックをかける前の状態を示している。
【００２４】
前述のように、脚部７はアクセサリーシュー５３の底面部５３ｂ、側壁部５３ｃ、天面部５３ｄにより摺動方向以外は規制されている。しかし、摺動方向に関しては固定されていない。このため、図５（ｂ）に示すように、ロック部材９を回転、移動させ、ロック部材９と脚部７とでアクセサリーシュー５３の天面部５３ｄを締めつけることで、マイクアダプタ装置１が固定されることになる。
【００２５】
ところで、マイクアダプタ装置１は、図１に示すように、脚部６、脚部７と、２か所の脚部を設けている。これは、マイクアダプタ装置１が装着可能な装置や、取り付け方に汎用性を持たせることを目的としている。
【００２６】
続いて、マイクアダプタ装置１の汎用性について説明する。
【００２７】
図８は不図示の撮像装置に取り付け可能なハンドルユニット１００に対し、マイクアダプタ装置１を装着した状態を示す外観斜視図である。
【００２８】
マイクアダプタ装置１は、このハンドルユニット１００に対しても装着可能になっている。このハンドルユニット１００には、複数のアクセサリーシューを備えており、図８においてはアクセサリーシュー１０１と、マイクアダプタ装置１の脚部６を使用して固定されている。図９は別のアクセサリーシュー１０２に装着した状態を示しておりマイクアダプタ装置１の脚部７を使用して固定している。このように、マイクアダプタ装置１は多くの装置に装着可能で、更に複数の脚部を設けることで、取り付け方にも汎用性を持たせることが可能となっている。
【００２９】
図１０、図１１は撮像装置５０にマイクアダプタ装置１を装着し、外部マイク３を取り付けた使用状態を示す外観斜視図である。
【００３０】
アクセサリーシュー５３と脚部７を使用して装着している。外部マイク１１はマイク保持部２に保持され、マイクケーブル１２の端子部１２ａにより、マイクアダプタ装置１に接続される。ケーブル１３の端子部１３ａはマイクアダプタ装置１に接続され、ケーブル１３のもう一方側の端子部１３ｂは図１１に示すように、撮像装置５０に接続される。
【００３１】
このように、各装置間を接続するためにはケーブルが必要となっているため、これらのケーブルを保持するためのクランプが必要となってくる。ケーブルが保持されない場合、ユーザー操作の邪魔になるためである。
【００３２】
本実施例では、図１０に示すようにマイクケーブル１２はマイクアダプタ装置１に固定されたマイクケーブルクランプ１０により保持されており、ケーブル１３はケーブルクランプ３０により保持されている。このケーブルクランプ３０は、マイクアダプタ装置１の装着に使用していない脚部６を使用して、着脱可能に固定されている。
【００３３】
図１２はケーブルクランプ３０の外観斜視図である。
【００３４】
ケーブルクランプ３０は略矩形形状となっており、中空部３１を有している。この中空部３１は、略直方体を形成しており、脚部が挿入可能な脚部挿入口３２を有し、それぞれ前壁部３３、後壁部３４、上壁部３５、下壁部３６、側壁部３７から構成されている。更に後壁部３４には、マイクアダプタ装置１のベース部１４を逃げるために、略Ｕ字形状の開口部３８も有している。
【００３５】
図１３は図１２におけるＢ方向から見た、ケーブルクランプ３０の側面図である。
【００３６】
図１３に示すように、中空部３１を構成する各壁部、前壁部３３、後壁部３４、上壁部３５、下壁部３６にはそれぞれ、リブ３３ａ、リブ３４ａ、リブ３５ａ、リブ３６ａが設けられており、これらのリブ形状が脚部をガイドすることになる。なお、本実施例では上述のリブ形状を設けたが、脚部をガイドする形状となっていればよいため、壁形状で直接ガイドする構成としてもよい。また、上面側にはケーブル保持部３９を構成しており、腕形状４０、腕形状４１により形成されている。このケーブルクランプ３０は樹脂等の弾性部材で形成されているため、腕形状４０、腕形状４１は弾性変形が可能となっている。本実施例では、図中、二点鎖線の円形状で示したケーブル断面形状で示すように、２つのケーブルを、位置Ｍ１、Ｍ２で同時に保持できる構成としている。
【００３７】
腕形状４０と腕形状４１間の距離について説明すると、各ケーブル保持位置Ｍ１、Ｍ２において、腕形状の間隔寸法Ｌ１、Ｌ３に対し、それぞれ狭くなる箇所Ｌ２、Ｌ４を設けることで、ケーブルの保持が可能となる。距離関係は、Ｌ１＜Ｌ２、Ｌ３＜Ｌ４となる。このケーブル径よりも小さいＬ２、Ｌ４の箇所については、腕形状４０、腕形状４１が撓むことで、ケーブルの着脱が可能となる。その際には、ケーブルクランプ３０に負荷がかかることになるが、この負荷分がケーブルの保持力となる。Ｌ５はケーブルを誘い込むための形状となっている。
【００３８】
本実施例では、ケーブルを２つ保持できる構成としたが、保持が１つの構成でも本発明に影響はない。同様に複数保持でも影響はなく、ケーブルが保持される構成であればよい。つまり、ケーブルが外れないように、ケーブル保持位置寸法Ｌ１よりも狭い箇所Ｌ２（Ｌ１＞Ｌ２）が少なくとも１か所でもあればよい。また、このような構成を用いることで、ユーザーはケーブルを挿入するだけで保持が可能となり、特にロックする必要もない。外す際にも同様で、ロックを解除する必要もなく取り外しが可能となっており、ケーブル着脱が容易な構成となっている。
【００３９】
ここで、腕形状４０、腕形状４１において、図中二点鎖線で示すように、腕形状４１の片持ち部分は、腕形状４０の片持ち部分よりも長く形成されている。更に、図１２において、腕形状４１には、開口４３が設けられている。このため、腕形状４１は、腕形状４０に対して撓みやすい形状となっている。また、このケーブルクランプ３０は、前述のように、ケーブルの着脱方向は図中Ｙ軸方向となる。また、マイクアダプタ装置１の脚部への着脱方向は、図中Ｘ軸方向となる。すなわち、ケーブル挿入方向と、脚部への着脱方向は、略９０°の関係で構成されている。
【００４０】
図１４はケーブルクランプ３０をマイクアダプタ装置１の脚部６へ装着する直前の状態を示している。この状態から、ケーブルクランプ３０の脚部挿入口３２をマイクアダプタ装置１の脚部６へ嵌合するように図中−Ｘ方向に動かし、装着する。
【００４１】
図１５はケーブルクランプ３０をマイクアダプタ装置１の脚部６へ装着した状態を示す外観斜視図である。なお、ケーブル１３は簡略化して示している。
【００４２】
前述のように、ケーブルクランプ３０は脚部６に対し、図中Ｘ軸方向に着脱され、装着時はロック部材８で固定される。この固定は、前述のように、ロック部材８の締め付け力によるため、締め付け具合や、長時間使用時等に、緩む可能性がある。
【００４３】
前述のように、ケーブル１３の着脱時にはケーブルクランプ３０へ負荷がかかることになり、ケーブルクランプ３０はマイクアダプタ装置１に対してケーブルクランプ３０の着脱方向であるＹ軸方向に移動する力がかかることになる。
【００４４】
しかし、本発明では前述のように、ケーブル１３の着脱方向であるＹ軸方向に対し、ケーブルクランプ３０の着脱方向はＸ軸方向と略９０°の関係になっている。すなわち、ケーブルクランプ３０の着脱方向であるＹ軸方向は、図１２におけるリブ３５ａ、リブ３６ａで規制されている。このため、ロック部材８による締め付け力が不十分な場合でも、ケーブルクランプ３０着脱時にケーブルクランプ３０が外れることを防止することが可能となっている。
【００４５】
図１６はマイクアダプタ装置１にケーブルクランプ３０を装着した状態を示す側面図であり、図１７はケーブルクランプ３０周辺の拡大図である。
【００４６】
図１７に示すように、より撓みやすい腕形状４１は、腕形状４０と、マイクアダプタ装置１を構成する外形壁１ａとの間に配置されている。腕形状４１は撓みやすいため、使用者が不用意に腕形状４１に負荷をかけた場合に破損する恐れがある。そのため本実施例では、撓みやすい腕形状４１を、撓みにくい腕形状４０と外形壁１ａとの間に配置することで容易に触れにくくし、外力がかかりにくい構成としている。また、腕形状４１に外力がかかった場合でも、本実施例では図中二点鎖線で示すように、外形壁１ａに当接する構成としている。このように、外形壁１ａが腕形状４１受け面として機能することで、腕形状４１の破損防止が可能となっている。
【００４７】
＜第２の実施形態＞
続いて他の実施形態について説明する。図１８はケーブルクランプ７０の外観斜視図である。
【００４８】
このケーブルクランプ７０には、実施例１同様の中空部７１、中空部７２が設けられており、それぞれ脚部挿入口７３、脚部挿入口７４が備えられている。図中に示すように、脚部挿入口７３、脚部挿入口７４の脚部への着脱方向は、それぞれ図中Ｙ軸方向、Ｚ軸方向となっており、略９０°の関係となっている。以下、この中空部７１を使用する装着部を第一の装着部７６、中空部７２を使用する装着部を第二の装着部７７とする。また、ケーブルクランプ７０は傘形状７５も備えている。
【００４９】
図１９はケーブルクランプ７０を第一の装着部７６を使用して、マイクアダプタ装置１の脚部６へ装着した状態を示す外観斜視図であり、図２０はケーブルクランプ７０周辺を拡大した側面図である。
【００５０】
前述のようにケーブルクランプ７０の着脱方向は図中Ｙ軸方向となっている。図２０に示すように、本実施例では、ケーブルクランプ７０は、マイクアダプタ装置１とケーブルクランプ７０の傘形状７５により、ケーブル１３を囲うことで保持する構成となっている。また、ケーブルクランプ７０を図中−Ｙ方向に装着すると同時にケーブル１３を押さえることができる構成であるため、ケーブル１３の着脱動作が不要となり、利便性が上がっている。そのため、実施例１のように、ケーブル１３着脱時にケーブルクランプ７０がマイクアダプタ装置１から外れることを気にする必要はない。
【００５１】
図２１はマイクアダプタ装置１を収納、保管する際の状態を示した外観斜視図である。このとき、ケーブルクランプ７０は第二の装着部７７を使用してマイクアダプタ装置１へ装着している。マイクアダプタ装置１の脚部は、装着時の剛性を考慮した場合、金属製とすることが考えられ、その場合、保管時に置いた台などを傷つける可能性がある。更に本実施例のように、複数の脚部を設けている場合は、それぞれの脚部から周囲を保護する必要がある。本実施例では図に示すように、ケーブルクランプ７０の傘形状７５を使用して、装着に使用していない脚部６から周囲を保護する構成としている。すなわち、本実施例では、マイクアダプタ装置１を使用する際にはケーブルクランプ７０の第一の装着部７６を用い、傘形状７５をケーブルを押さえることに使用し、マイクアダプタ装置１の収納、保管する際には、第二の装着部７７を用いることで、傘形状７５により脚部６、脚部７のいずれの脚部からも周囲を保護することが可能となっている。
【００５２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、本発明におけるケーブルクランプの取りつく装置を、マイクアダプタ装置１として説明してきたが、これに限らず、ケーブル接続が必要となる電子機器であればよい。
【符号の説明】
【００５３】
１  マイクアダプタ装置、１ａ  外形壁、２  マイク保持部、３  入力端子、
４  入力端子、５  出力端子、６  脚部、７  脚部、８  ロック部材、９  ロック部材、
１０  マイクケーブルクランプ、１１  外部マイク、１２  マイクケーブル、
１２ａ  端子部、１３  ケーブル、１３ａ  端子部、１３ｂ  端子部、１４  ベース部、
３０  ケーブルクランプ、３１  中空部、３２  脚部挿入口、３３  前壁部、
３３ａ  リブ、３４  後壁部、３４ａ  リブ、３５  上壁部、３５ａ  リブ、
３６  下壁部、３６ａ  リブ、３７  側壁部、３８  開口部、３９  ケーブル保持部、
４０  腕形状、４１  腕形状、４２  ケーブル挿入口、４３  開口、５０  撮像装置、
５１  レンズ部、５２  表示部、５３  アクセサリーシュー、５３ａ  挿入口、
５３ｂ  底面部、５３ｃ  側壁部、５３ｄ  天面部、５３ｅ  開口、
５４  内蔵マイク部、７０  ケーブルクランプ、７１  中空部、７２  中空部、
７３  脚部挿入口、７４  脚部挿入口、７５  傘形状、７６  第一の装着部、
７７  第二の装着部、１００  ハンドルユニット、１０１  アクセサリーシュー、
１０２  アクセサリーシュー、１０３  アクセサリーシュー
【図１】
2017117856.tif 000003
【図２】
2017117856.tif 000004
【図３】
2017117856.tif 000005
【図４】
2017117856.tif 000006
【図５】
2017117856.tif 000007
【図６】
2017117856.tif 000008
【図７】
2017117856.tif 000009
【図８】
2017117856.tif 000010
【図９】
2017117856.tif 000011
【図１０】
2017117856.tif 000012
【図１１】
2017117856.tif 000013
【図１２】
2017117856.tif 000014
【図１３】
2017117856.tif 000015
【図１４】
2017117856.tif 000016
【図１５】
2017117856.tif 000017
【図１６】
2017117856.tif 000018
【図１７】
2017117856.tif 000019
【図１８】
2017117856.tif 000020
【図１９】
2017117856.tif 000021
【図２０】
2017117856.tif 000022
【図２１】
2017117856.tif 000023